(57)【要約】【課題】  デザイン性に優れ、便座ユニットの便器本体への着脱作業が容易な水洗便所装置を提供すること。【解決手段】  上面が開口したボウル部２と、ボウル部２の後方部に設けられ取付具１０を介して便座ユニット１２を着脱自在に取り付けるための便座ユニット取付孔３と、ボウル部２の後方部に設けられ上面が開口したメンテナンスホール４とを有する便器本体５と、メンテナンスホール４の上部に設けられる洗浄装置６とを備え、便座ユニット取付孔３はボウル部２内面とは連通せずにメンテナンスホール４と連通するよう形成されてなり、便座ユニット１２の便器本体５への着脱作業を、洗浄装置６が便器本体５から取り外された状態で、メンテナンスホール４から行うようにする。【選択図】図１
2005278658.tif 000002
【特許請求の範囲】
【請求項１】
上面が開口したボウル部と、ボウル部の後方部に設けられ取付具を介して便座ユニットを着脱自在に取り付けるための便座ユニット取付孔と、ボウル部の後方部に設けられ上面が開口したメンテナンスホールとを有する便器本体と、
前記メンテナンスホールの上部に設けられる洗浄装置とを備え、
前記便座ユニット取付孔はボウル部内面とは連通せずに前記メンテナンスホールと連通するよう形成されてなり、
前記便座ユニットの便器本体への着脱作業を、洗浄装置が便器本体から取り外された状態で、前記メンテナンスホールから行うものであることを特徴とする水洗便所装置。
【請求項２】
前記洗浄装置が便器本体と着脱自在に取り付けられるものであることを特徴とする請求項１記載の水洗便所装置。
【発明の詳細な説明】
【技術分野】
【０００１】
本発明は、洗浄装置を備えた水洗便所装置に関するものである。
【背景技術】
【０００２】
従来より、図５に示すような、便器本体２２の後方部に洗浄水を貯めるロータンク２３を備え、便器本体２２の上面に便座ユニット２４を備えた水洗便所装置２１が知られている。（特許文献１）
このような水洗便所装置２１においては、便器本体２２の後方部に、便座ユニット２４を取り付けるための便座ユニット取付孔２５が設けられている。
【０００３】
便座ユニット取付孔２５は、便器本体２２のリム面２９の上面側から、便器本体２２の後方部の外側壁部に設けられた窪み部分に貫通するように設けられている。
【０００４】
そして、便座ユニット取付孔２５に取付具２６のボルト部２７を差し込み、便器本体２２の外側壁部の窪み部分からナット２８をボルト部２７に螺合させることにより、取付具２６を便器本体２２に取り付けている。
【０００５】
一方、図６に示すような、洗浄水を水道配管から直接供給する水道直結式の洗浄装置３３を用いることによってロータンク２３をなくし、さらに便器本体３２の外側壁部の窪み部分等をなくすことにより、デザイン性を重視した水洗便所装置３１が知られている。
【０００６】
このような水洗便所装置３１においては、図７に示すように、便座ユニット取付孔３５の底部を貫通させずに設けておき、固定金具３６、ボルト３７及び上方固定ナット３８等の複数の部品からなる専用固定部材３９を便座ユニット取付孔３５に取り付けた後、専用固定部材３９を介して便座ユニット３４を便器本体３２に取り付けている。
【特許文献１】特開平９−２９４６９７号公報
【発明の開示】
【発明が解決しようとする課題】
【０００７】
しかしながら、上記水洗便所装置２１においては、便座ユニット２４の便器本体２２への着脱作業を行う際、作業者が腰を屈めて便器本体２２の下側に身体を潜り込ませた状態でナット２８をボルト部２７に螺合させる必要があり、作業し難いものであった。
【０００８】
また、上記水洗便所装置３１においては、便座ユニット３４の種類によって専用固定部材３９の形状や取り付け方法が異なるため、ユーザーによる便座ユニット３４の着脱作業が可能であるかどうかが不明であった。
【０００９】
本発明は、かかる事由に鑑みてなしたもので、その目的とするところは、デザイン性に優れ、便座ユニットの便器本体への着脱作業が容易な水洗便所装置を提供することにある。
【課題を解決するための手段】
【００１０】
上記課題を解決するために、本発明では、第１には、上面が開口したボウル部と、ボウル部の後方部に設けられ取付具を介して便座ユニットを着脱自在に取り付けるための便座ユニット取付孔と、ボウル部の後方部に設けられ上面が開口したメンテナンスホールとを有する便器本体と、メンテナンスホールの上部に設けられる洗浄装置とを備え、便座ユニット取付孔はボウル部内面とは連通せずにメンテナンスホールと連通するよう形成されてなり、便座ユニットの便器本体への着脱作業を、洗浄装置が便器本体から取り外された状態で、メンテナンスホールから行うようにする。
【００１１】
第２には、洗浄装置が便器本体と着脱自在に取り付けられるものであるようにする。
【発明の効果】
【００１２】
上記本発明の第１の水洗便所装置では、便座ユニットの便器本体への着脱作業を、洗浄装置を便器本体から取り外した状態で、メンテナンスホールから行うことができるので、水洗便所装置のデザインを損ねることなく、着脱作業を容易に行うことができる。
【００１３】
上記本発明の第２の水洗便所装置では、上記第１の水洗便所装置と同様の効果が得られ、また、洗浄装置が便器本体と着脱自在に取り付けられるものであるため、便座ユニットの便器本体への着脱作業をさらに容易に行うことができる。
【発明を実施するための最良の形態】
【００１４】
本発明の実施形態における水洗便所装置１について、図１〜４に基づいて説明する。本実施形態における水洗便所装置１は、図１に示すように、上面が開口したボウル部２と、ボウル部２の後方部に設けられ取付具１０を介して便座ユニット１２を着脱自在に取り付けるための便座ユニット取付孔３と、ボウル部２の後方部に設けられ上面が開口したメンテナンスホール４とを有する便器本体５と、メンテナンスホール４の上部に設けられる洗浄装置６とを備えている。
【００１５】
便座ユニット取付孔３はボウル部２内面とは連通せずにメンテナンスホール４と連通するよう形成されており、便座ユニット１２の便器本体５への着脱作業を、洗浄装置６が便器本体５から取り外された状態で、メンテナンスホール４から行うようになっている。
【００１６】
取付具１０は、図２に示すように、便座ユニット１２の後方部の下面側に備えられたボルト１３とナット１１からなり、ボルト１３を便座ユニット取付孔３に挿入した後に、メンテナンスホール４から手を差し入れて、ボルト１３にナット１１を螺合させていくことにより、便座ユニット１２を便器本体５に着脱自在に取り付けることができる。
【００１７】
ここで、便座ユニット取付孔３はボウル部２内面とは連通せずにメンテナンスホール４と連通するよう形成されている理由について説明する。
【００１８】
便座ユニット取付孔３をボウル部２内面と連通するように形成した場合、ボウル部２内面からナット１１をボルト１３に螺合させていくことになり、このような作業をボウル部２内で行うことは衛生上好ましくなく、また、ナット１１をボウル部２内に落したり、ボルト１３やナット１１が金属製のものである場合には錆が発生する等の問題があるためである。
【００１９】
洗浄装置６は、便器本体５と着脱自在に取り付けられ、水道配管（図示せず）と着脱自在に接続されて洗浄水を供給する給水部８と、洗浄水中のゴミを除去するフィルター部７と、洗浄装置６の下方に突出した吐水部９が備えられている。
【００２０】
また、便器本体５には、ボウル部２と連通した吐出口１４が設けられており、吐出口１４に吐水部９が挿入されるようになっている。
【００２１】
給水部８から供給された洗浄水は、フィルター７を通って洗浄装置６内に入り、吐水部９からボウル部２内に吐出されてボウル部２内面を洗浄する。
【００２２】
また、便器本体５の後方内部には、用便を洗浄水とともに自動排出する自動排出機構（図示せず）が備えられている。自動排出機構（図示せず）には電源プラグ１５を介して商用電源から電力が供給され、さらに自動排出機構（図示せず）から着脱自在な接続部１６を介して洗浄装置６へ電力が供給される。
【００２３】
また、自動排出機構（図示せず）のメンテナンスについては、メンテナンスホール４から行うことができるようになっている。
【００２４】
次に、洗浄装置６の便器本体５への取り付け構造について説明する。
【００２５】
図３に示すように、便器本体５の上面の左右両側には、Ｌ字状で側面に孔１７ａを有する取付具１７が取り付けられている。
【００２６】
また、洗浄装置６の下面には差込口１８が設けられており、差込口１８に取付具１７が差し込まれる。
【００２７】
そして、図４に示すように、洗浄装置６の側面に設けられた孔１９からリベット２０を挿入し、洗浄装置６の折り返し片６ａに設けられた小孔１９ａと取付具１７の孔１７ａとに差し込むことにより、洗浄装置６が便器本体５に固定される。
【００２８】
ここで、リベット２０は、ピン２０ａとグロメット２０ｂからなり、洗浄装置６を便器本体５に固定する時は、小孔１９ａと孔１７ａとにグロメット２０ｂを差し込んだ状態で、ピン２０ａをグロメット２０ｂ内に押し込めばよく、逆に、洗浄装置６を便器本体５から取り外す時は、ピン２０ａをドライバ等を用いて回動することによって、ピン２０ａをグロメット２０ｂから取り外し、次いでグロメット２０ｂを小孔１９ａと孔１７ａから取り外せばよい。
【００２９】
以上のように本発明における水洗便所装置１は、便座ユニット１２の便器本体５への着脱作業を、洗浄装置６を便器本体５から取り外した状態で、メンテナンスホール４から行うことができるので、水洗便所装置１のデザインを損ねることなく、着脱作業を容易に行うことができる。
【００３０】
また、給水部８、接続部１６がそれぞれ便器本体５と着脱自在であり、かつ洗浄装置６が便器本体５と着脱自在に取り付けられるものであるため、便座ユニット１２の便器本体５への着脱作業をさらに容易に行うことができる。
【図面の簡単な説明】
【００３１】
【図１】本発明の実施形態における水洗便所装置１の分解斜視図である。
【図２】図１におけるＡ−Ａ´断面を水洗便所装置１の後方から見た断面図である。
【図３】同実施形態における洗浄装置６の取り付け構造を示す分解斜視図である。
【図４】図３におけるＢ−Ｂ´断面を水洗便所装置１の後方から見た断面図である。
【図５】従来の水洗便所装置２１の分解斜視図である。
【図６】従来の水洗便所装置３１の斜視図である。
【図７】従来の水洗便所装置３１における専用固定部材３９の分解斜視図である。
【符号の説明】
【００３２】
１  水洗便所装置
２  ボウル部
３  便座ユニット取付孔
４  メンテナンスホール
５  便器本体
６  洗浄装置
８  給水部
９  吐水部
１０  取付具
１２  便座ユニット
１４  吐出口
【図１】
2005278658.tif 000003
【図２】
2005278658.tif 000004
【図３】
2005278658.tif 000005
【図４】
2005278658.tif 000006
【図５】
2005278658.tif 000007
【図６】
2005278658.tif 000008
【図７】
2005278658.tif 000009